(57)【要約】      （修正有）【課題】有機材料用の改良された蒸発源の提供。【解決手段】蒸発源２００は、有機材料を蒸発させるように構成された蒸発るつぼ１０４と、前記蒸発るつぼと流体連通しており、蒸発中に軸周囲を回転可能である、一又は複数の排出口を有する分配管１０６と、第１のドライバと連結された又は前記第１のドライバを含む、前記分配管の支持体であって、前記第１のドライバが前記支持体及び前記分配管の並進運動のために構成されている、支持体１０２と、前記支持体に支持され、内部で大気圧を維持するように構成された蒸気圧制御ハウジングとを備える、蒸発源。【選択図】図２
2018154926.tif 000002
【特許請求の範囲】
【請求項１】
有機材料用の蒸発源であって、
前記有機材料を蒸発させるように構成された蒸発るつぼと、
前記蒸発るつぼと流体連通しており、蒸発中に軸周囲を回転可能である、一又は複数の排出口を有する分配管と、
有機材料を遮蔽するための少なくとも１つのサイドシールドと
を備える蒸発源。
【請求項２】
第１のドライバと連結可能であり又は前記第１のドライバを含む、前記分配管の支持体であって、前記第１のドライバが前記支持体及び前記分配管の並進運動のために構成されている、支持体
を更に備える、請求項１に記載の蒸発源。
【請求項３】
前記少なくとも１つのサイドシールドが、前記支持体と前記分配管の並進運動に従うように構成されている、請求項２に記載の蒸発源。
【請求項４】
前記少なくとも１つのサイドシールドが、更なるサイドシールドを備える、請求項１から３の何れか一項に記載の蒸発源。
【請求項５】
前記少なくとも１つのサイドシールドが、前記分配管の前記軸周囲での回転が行われているとき、静止している、請求項１から４の何れか一項に記載の蒸発源。
【請求項６】
前記少なくとも１つのサイドシールドが、有機材料の蒸発を基板に向かう方向に範囲を定めるように構成されている、請求項１から５の何れか一項に記載の蒸発源。
【請求項７】
前記少なくとも１つのサイドシールドが、アイドルモードにおける側方への蒸発のために構成されている、請求項１から６の何れか一項に記載の蒸発源。
【請求項８】
前記分配管が、蒸気が前記蒸発源から出ていくのを回避するために前記サイドシールドに向かって回転可能である、請求項１から７の何れか一項に記載の蒸発源。
【請求項９】
蒸発器制御ハウジングを更に備え、前記分配管が前記蒸発器制御ハウジングの回転によって回転可能である、請求項１から８の何れか一項に記載の蒸発源。
【請求項１０】
前記蒸発るつぼが前記蒸発器制御ハウジングに取り付けられ、前記分配管及び前記蒸発るつぼは一緒に回転できるように取り付けられている、請求項１から９の何れか一項に記載の蒸発源。
【請求項１１】
前記分配管、前記蒸発るつぼ、及び前記蒸発器制御ハウジングが一緒に回転可能である、請求項１０に記載の蒸発源。
【請求項１２】
前記少なくとも１つのサイドシールドが、前記支持体に固定して取り付けられている、請求項２に記載の蒸発源。
【請求項１３】
前記少なくとも１つのサイドシールドが、前記分配管と一緒に回転しないように固定して取り付けられている、請求項１２に記載の蒸発源。
【請求項１４】
前記蒸気分配シャワーヘッドが、直線的蒸気分配シャワーヘッドである、請求項１から１３の何れか一項に記載の蒸発源。
【請求項１５】
前記分配管が、本質的に垂直に延びる線源を提供し、及び／又は前記分配管を回転させる前記軸が、本質的に垂直に延びる、請求項１から１４の何れか一項に記載の蒸発源。
【請求項１６】
前記分配管が、少なくとも１６０度回転可能である、請求項１から１５の何れか一項に記載の蒸発源。
【請求項１７】
前記分配管が、前記支持体に対して前記分配管を回転させる第２のドライバによって、前記軸周囲を回転可能である、請求項１から１６の何れか一項に記載の蒸発源。
【請求項１８】
前記支持体が、内部で大気圧を維持するように構成された支持体ハウジングを含み、前記支持体が、回転可能な真空フィードスルーを介して、前記分配管を支持する、請求項１７に記載の蒸発源。
【請求項１９】
前記支持体によって支持されている少なくとも１つの第２の蒸発るつぼと、
前記少なくとも１つの第２の蒸発るつぼと流体連通している、前記支持体によって支持されている少なくとも１つの第２の分配管と
を更に備える、請求項２から１８の何れか一項に記載の蒸発源。
【請求項２０】
真空チャンバの中で有機材料を堆積させるための堆積装置であって、
真空チャンバと、
前記真空チャンバの中で前記有機材料を蒸発させる、請求項１から１９の何れか一項に記載の蒸発源と、
前記真空チャンバの中に配置され、少なくとも２つのトラックを有する基板支持体システムであって、前記基板支持体システムの前記少なくとも２つのトラックが、前記基板又は前記真空チャンバの中で前記基板を運ぶキャリアの本質的に垂直な支持のために構成されている、基板支持体システムと
を備える堆積装置。
【請求項２１】
前記少なくとも１つのサイドシールドが、有機材料の蒸発を前記基板に向かう方向に範囲を定めるように構成されている、請求項２０に記載の堆積装置。
【請求項２２】
有機材料を蒸発させるための方法であって、
本質的に垂直な第１の処理位置で第１の基板を移動させることと、
蒸発源が前記有機材料を蒸発させる間に、少なくとも並進運動で前記第１の基板に沿って前記蒸発源を移動させることと、
前記第１の処理位置と異なる本質的に垂直な第２の処理位置で第２の基板を移動させることと、
蒸発中に軸周囲で前記蒸発源の分配管を回転させることと、
少なくとも１つのサイドシールドで前記有機材料の蒸発を遮蔽することと、
前記蒸発源が前記有機材料を蒸発させる間に、少なくとも更なる並進運動で前記第２の基板に沿って前記蒸発源を移動させることと
を含む方法。
【請求項２３】
アイドルモードにおける側方への蒸発のために前記分配管を回転させることを更に含む、請求項２２に記載の方法。
【請求項２４】
蒸気が前記蒸発源から出ていくのを回避するために前記分配管を前記サイドシールドに向かって回転させることを更に含む、請求項２２又は２３に記載の方法。
【請求項２５】
蒸発中に軸周囲で前記蒸発源の分配管を回転させることが、第１の回転方向で行われ、前記第２の基板に沿って前記蒸発源を移動させることの後に、前記第１の回転方向で蒸発中に軸周囲で前記蒸発源の分配管を回転させることを更に含む、請求項２２から２４の何れか一項に記載の方法。
【請求項２６】
前記サイドシールドで蒸気ビームを遮断することを更に含む、請求項２２から２５の何れか一項に記載の方法。
【発明の詳細な説明】
【技術分野】
【０００１】
本発明の実施形態は、有機材料の堆積、有機材料用の源、及び有機材料用の堆積装置に関する。本発明の実施形態は、特に、有機材料用の蒸発源、真空チャンバの中で有機材料を堆積させるための堆積装置、及び有機材料を蒸発させるための方法に関する。
【背景技術】
【０００２】
有機蒸発器は、有機発光ダイオード（ＯＬＥＤ）の生産用ツールである。ＯＬＥＤは、内部で発光層がある有機化合物の薄膜を含む、特別な種類の発光ダイオードである。有機発光ダイオード（ＯＬＥＤ）は、情報を表示するためのテレビ画面、コンピュータモニタ、携帯電話、その他の手持ちデバイスなどの製造時に使用される。ＯＬＥＤはまた、一般的な空間照明にも使用することができる。ＯＬＥＤディスプレイで可能な色、輝度、及び視野角の範囲は、ＯＬＥＤピクセルが直接発行し、バックライトを必要としないので、従来のＬＣＤディスプレイの範囲よりも大きい。したがって、ＯＬＥＤディスプレイのエネルギー消費は、従来のＬＣＤディスプレイのエネルギー消費よりもかなり少ない。更に、ＯＬＥＤは、フレキシブル基板上に製造することができるという事実により、更なる用途がもたらされる。例えば、ＯＬＥＤディスプレイは、個々にエネルギー供給可能なピクセルを有するマトリクスディスプレイパネルを形成するように、基板上にすべてが堆積された２つの電極の間に位置する有機材料の層を含み得る。ＯＬＥＤは、一般的に２つのガラスパネルの間に置かれ、ガラスパネルのエッジは、ＯＬＥＤを内部にカプセル化するために密閉される。
【０００３】
そのようなディスプレイデバイスの製造時に遭遇する多くの課題がある。１つの例では、デバイスの起こり得る汚染を防止するために、２つのガラスパネルの間でＯＬＥＤをカプセル化するのに必要な多くの大きな労力を要するステップがある。別の例では、ディスプレイスクリーンの異なるサイズ、更にガラスパネルの異なるサイズによって、処理及びディスプレイデバイスを形成するために使用される処理ハードウェアの実質的な再構築が必要となり得る。一般的に、ＯＬＥＤデバイスは、大面積基板で製造されることが望ましい。
【０００４】
様々な課題をもたらす大規模なＯＬＥＤディスプレイの製造における１つのステップは、例えば、パターン形成された層の堆積のための、基板のマスキングである。更に、既知のシステムでは、典型的には、わずかな全体的材料利用率は、例えば、５０％未満などである。
【０００５】
したがって、ＯＬＥＤディスプレイデバイスを形成するための新たな改良された装置及び方法が継続的に必要となる。
【発明の概要】
【０００６】
上記を考慮して、有機材料用の改良された蒸発源、有機材料を蒸発させるための改良された堆積装置、及び有機材料を蒸発させる方法が提供される。本発明の実施形態の更なる態様、利点及び特徴が、従属請求項、明細書及び添付図面から明らかになる。
【０００７】
１つの実施形態によれば、有機材料の蒸発源が提供される。
【０００８】
蒸発源は、有機材料を蒸発させるように構成された蒸発るつぼと；蒸発るつぼと流体連通しており、蒸発中に軸周囲を回転可能である、一又は複数の排出口を有する分配管と；有機材料を遮蔽するための少なくとも１つのサイドシールドとを含む。
【０００９】
別の実施形態によれば、有機材料を真空チャンバの中に堆積させるための堆積装置が提供される。
【００１０】
堆積装置は、真空チャンバと；真空チャンバの中で有機材料を蒸発させる、本明細書に記載の実施形態による蒸発源と；真空チャンバの中に配置され、少なくとも２つのトラックを有する基板支持体システムとを備え、基板支持体システムの少なくとも２つのトラックは、基板又は真空チャンバの中で基板を運ぶキャリアの本質的に垂直な支持のために構成される。
【００１１】
更なる実施形態によれば、有機材料を蒸発させるための方法が提供される。
【００１２】
当該方法は、本質的に垂直な第１の処理位置で第１の基板を移動させることと；蒸発源が有機材料を蒸発させる間に、少なくとも並進運動で第１の基板に沿って蒸発源を移動させることと；第１の処理位置と異なる本質的に垂直な第２の処理位置で第２の基板を移動させることと；蒸発中に軸周囲で蒸発源の分配管を回転させることと；少なくとも１つのサイドシールドで有機材料の蒸発を遮蔽することと；蒸発源が有機材料を蒸発させる間に、少なくとも１つの更なる並進運動で第２の基板に沿って蒸発源を移動させることとを含む。
【００１３】
本発明の上記の特徴を詳細に理解することができるよう、実施形態を参照することによって、上記で簡潔に概説した本発明のより詳細な説明を得ることができるだろう。添付の図面は、本発明の実施形態に関連し、以下の記述において説明される。
【図面の簡単な説明】
【００１４】
【図１】ＡからＤは、本明細書に記載の更なる実施形態による堆積装置の真空チャンバの異なる堆積位置における、本明細書に記載の実施形態による有機材料用の蒸発源を図示する概略図を示す。
【図２】本明細書に記載の実施形態による真空チャンバの中で有機材料を堆積させるための堆積装置の概略上面図を示す。
【図３】本明細書に記載の実施形態による真空チャンバの中で有機材料を堆積させるための別の堆積装置の概略上面図を示す。
【図４】Ａ及びＢは、本明細書に記載の実施形態による真空チャンバの中で有機材料を堆積させるための堆積装置、及び真空チャンバの中の異なる堆積位置における本明細書に記載の実施形態による有機材料蒸発のための蒸発源の概略側面図を示す。
【図５】Ａ及びＢは、本明細書に記載の実施形態による真空チャンバの中で有機材料を堆積させるための堆積装置、及び真空チャンバの中の異なる堆積位置における本明細書に記載の実施形態による有機材料蒸発のための蒸発源の概略図を示す。
【図６】本明細書に記載の実施形態による、少なくとも２つの堆積装置及び有機材料蒸発のための蒸発源を有するシステムの概略図を示す。
【図７】Ａ及びＢは、本明細書に記載の実施形態による蒸発源の部分の概略図を示し、Ｃは、本明細書に記載の実施形態による別の蒸発源の概略図を示す。
【図８】Ａ及びＢは、本明細書に記載の実施形態による真空チャンバの中で有機材料を堆積させるための堆積装置、及び真空チャンバの中の異なる堆積位置における本明細書に記載の実施形態による有機材料蒸発のための蒸発源の概略図を示す。
【図９】本明細書に記載の実施形態による真空チャンバの中で有機材料を堆積させるための別の堆積装置の概略図を示す。
【図１０】本明細書に記載された実施形態による有機材料を蒸発させるための方法を示すフローチャートを図示する。
【発明を実施するための形態】
【００１５】
これより本発明の種々の実施形態が詳細に参照されるが、その一又は複数の例が図示されている。図面に関する以下の説明の中で、同じ参照番号は同じ構成要素を指している。一般的に、個々の実施形態に関する違いのみが説明される。各例は、本発明の説明として提供されているが、本発明を限定することを意図するものではない。更に、１つの実施形態の一部として図示又は説明される特徴を、他の実施形態で使用又は他の実施形態と併用して、更なる実施形態を得ることができる。本明細書は、かかる修正及び改変を含むことが意図されている。
【００１６】
図１Ａから図１Ｄは、真空チャンバ１１０の中の様々な位置における蒸発源１００を示す。異なる位置の間の移動は、矢印１０１Ｂ、１０１Ｃ、及び１０１Ｄによって示される。本明細書に記載の実施形態によれば、蒸発源は、並進運動及び軸周囲の回転のために構成される。図１Ａから図１Ｄは、蒸発るつぼ１０４及び分配管１０６を有する蒸発源１００を示す。分配管１０６は、支持体１０２によって支持される。更に、いくつかの実施形態によれば、蒸発るつぼ１０４はまた、支持体１０２によって支持することができる。２つの基板１２１は、真空チャンバ１１０の中に提供される。典型的には、基板上での層堆積のマスキング用マスク１３２を基板と蒸発源１００との間に提供することができる。図１Ａから図１Ｄに示されるように、有機材料は、分配管１０６から蒸発する。これは、参照番号１０により示される。
【００１７】
図１Ａでは、蒸発源１００が第１の位置に示される。図１Ｂに示されるように、真空チャンバ１１０の左側の基板は、矢印１０１Ｂにより示されるように、蒸発源の並進運動によって有機材料の層で堆積される。左側の基板１２１が有機材料の層で堆積されている間、第２の基板、例えば、図１Ａから図１Ｄの右側の基板を交換することができる。図１Ｂは、基板用の搬送トラック１２４を示す。左側の基板１２１が有機材料の層で堆積された後に、蒸発源の分配管１０６は、図１Ｃの矢印１０１Ｃによって示されるように回転する。有機材料の第１の基板（図１Ｂの左側の基板）への堆積中に、第２の基板が、マスク１３２に対して位置付け及び整列された。したがって、図１Ｃに示される回転後に、右側の基板、即ち、第２の基板１２１は、矢印１０１Ｄによって示されるように有機材料の層でコーティングすることができる。第２の基板１２１が有機材料でコーティングされる間、第１の基板を真空チャンバ１１０から移動させることができる。図１Ｄは、第１の基板（図１Ｄの左側）の位置にある搬送トラック１２４を示す。
【００１８】
本明細書に記載される実施形態によれば、基板は、本質的に垂直位置において有機材料でコーティングされる。要するに、図１Ａから図１Ｄに示される図は、蒸発源１００を含む装置の上面図である。典型的には、分配管は、蒸気分配シャワーヘッド、特に直線的蒸気分配シャワーヘッドである。これにより、分配管は、本質的に垂直に延びる線源を提供する。本明細書に記載の他の実施形態と組み合わせることができる、本明細書に記載の実施形態によれば、本質的に垂直とは、特に基板配向に言及する際に、１０度又はそれを下回る垂直方向からの偏差を許容すると理解される。この偏差は、垂直配向からのいくらかの偏差を有する基板支持体がより安定した基板位置をもたらし得るので、提供することができる。しかし、有機材料の堆積中の基板配向は、本質的に垂直と考えられ、水平な基板配向とは異なると考えられる。これにより、基板の表面は、１つの基板寸法及び他の基板寸法に対応する他の方向に沿った並進運動に対応する１つの方向に延びる線源によってコーティングされる。
【００１９】
図１Ｃに示されるように、分配管１０６の回転、即ち、第１の基板１２１から第２の基板１２１までの回転は１８０度とすることができる。第２の基板が図１Ｄに示されるように堆積された後に、分配管１０６は、後方に１８０度回転させることができるか、図１Ｃに示された方向と同一の方向に回転させることができるかのどちらかである。これにより、分配管は、合計で３６０度回転する。本明細書に記載の他の実施形態と組み合わせることができる実施形態によれば、分配管１０６は、例えば、参照番号１０で示された蒸発コイルが基板１２１の表面に鉛直に提供されない場合には、少なくとも１６０度回転される。しかしながら、典型的には、分配管は、１８０度又は少なくとも３６０度回転される。
【００２０】
本明細書に記載の実施形態によれば、例えば、直線的蒸気分配シャワーヘッドなどの線源の並進運動と、例えば、直線的蒸気分配シャワーヘッドなどの線源の回転との組み合わせにより、ＯＬＥＤディスプレイ製造に対する高い蒸発源効率と高い材料利用が可能になり、この場合、基板の高精度のマスキングが所望される。基板及びマスクが静止状態を維持することができるので、源の並進運動により、高いマスキング精度が可能になる。別の基板が有機材料でコーティングされている間、回転移動によってある基板の基板交換が可能である。このことは、アイドル時間、即ち、蒸発源が基板をコーティングせずに有機材料を蒸発させる時間が著しく短縮されるので、材料利用を著しく改善する。
【００２１】
本明細書に記載される実施形態は、特に、例えば、ＯＬＥＤディスプレイ製造用の、大面積基板上での、有機材料の堆積に関する。いくつかの実施形態によれば、大面積基板、又は一又は複数の基板を支持するキャリア、即ち、大面積キャリアは、少なくとも０．１７４ｍ２のサイズを有しうる。典型的には、キャリアのサイズを、約１．４ｍ２から約８ｍ２、より典型的には、約２ｍ２から約９ｍ２、又は最大１２ｍ２とすることができる。典型的には、基板が支持され、本明細書に記載の実施形態による保持設備、装置、及び方法が提供される長方形の面積が、本明細書に記載の大面積基板のサイズを有するキャリアである。例えば、単一の大面積基板の面積に対応するであろう大面積キャリアを、約１．４ｍ２の基板（１．１ｍ×１．３ｍ）に対応するＧＥＮ５、約４．２９ｍ２の基板（１．９５ｍ×２．２ｍ）に対応するＧＥＮ７．５、約５．７ｍ２の基板（２．２ｍ×２．５ｍ）に対応するＧＥＮ８．５、又は約８．７ｍ２の基板（２．８５ｍ×３．０５ｍ）に対応するＧＥＮ１０とすることができる。ＧＥＮ１１及びＧＥＮ１２などのよりいっそう大きな世代、並びに対応する基板面積が、同様に実現されうる。本明細書に記載された他の実施形態と組み合わせることができる典型的な実施形態によれば、基板の厚さを０．１から１．８ｍｍとすることができ、保持設備及び特に保持デバイスをこのような基板の厚さに対して適合させることができる。しかしながら、特に基板の厚さを約０．９ｍｍ又はそれを下回る、例えば、０．５ｍｍ又は０．３ｍｍとすることができ、保持設備及び特に保持デバイスがそのような基板の厚さに適合される。典型的には、基板は、材料堆積に適した任意の材料から作られ得る。例えば、基板は、ガラス（例えば、ソーダ石灰ガラス、ホウケイ酸ガラスなど）、金属、ポリマー、セラミック、複合材料、炭素繊維材料、又は堆積プロセスによってコーティングすることできる他の材料若しくは材料の組合せからなるグループから選択された材料から作られ得る。
【００２２】
良好な信頼性及び歩留まり率を実現するために、本明細書に記載の実施形態は、有機材料の堆積中にマスク及び基板を静止状態に維持する。大面積基板の均一コーティングのための移動可能な直線的源が提供される。アイドル時間が操作と比較して短縮され、各堆積後に、基板が交換される必要があるが、ここにはマスク及び基板の互いに対する新たな位置合わせのステップが含まれる。アイドル時間中には、源が材料を浪費している。従って、堆積位置でマスクに対して容易に位置合わせされる第２の基板を有することにより、アイドル時間が短縮され、材料利用率が増加する。
【００２３】
図２は、真空チャンバ１１０の中に有機材料を堆積させるための堆積装置２００の実施形態を示す。蒸発源１００は、トラック又は直線的ガイド２２０上で真空チャンバ１１０の中に提供される。直線的ガイド２２０は、蒸発源１００の並進運動のために構成される。これにより、本明細書に記載の他の実施形態と組み合わせることができる異なる実施形態によれば、並進運動のためのドライバを、トラック又は直線的ガイド２２０において、真空チャンバ１１０内で又はそれらの組み合わせにおいて、蒸発源１００の中に提供することができる。図２は、例えば、ゲートバルブなどのバルブ２０５を示す。バルブ２０５は、隣接する真空チャンバ（図２に示されず）への真空密閉を可能にする。バルブは、基板１２１又はマスク１３２の真空チャンバ１１０内への又は真空チャンバ１１０からの搬送のために開放することができる。
【００２４】
本明細書に記載の他の実施形態と組み合わせることができる、いくつかの実施形態によれば、保守真空チャンバ２１０などの更なる真空チャンバが、真空チャンバ１１０に隣接して提供される。これにより、真空チャンバ１１０及び保守真空チャンバ２１０は、バルブ２０７と連結される。バルブ２０７は、真空チャンバ１１０と保守真空チャンバ２１０との間の真空密閉を開閉するように構成される。蒸発源１００は、バルブ２０７が開放状態にある間、保守真空チャンバ２１０に移送することができる。その後、バルブは、真空チャンバ１１０と保守真空チャンバ２１０との間に真空密閉を提供するように閉鎖することができる。バルブ２０７が閉鎖される場合、保守真空チャンバ２１０は、真空チャンバ１１０の中の真空を破壊せずに、蒸発源１００保守のために換気及び開放することができる。
【００２５】
２つの基板１２１は、真空チャンバ１１０内のそれぞれの搬送トラック上で支持される。更に、その上にマスク１３２を提供する２つのトラックが提供される。これにより、基板１２１のコーティングは、それぞれのマスク１３２によってマスクすることができる。典型的な実施形態によれば、マスク１３２、即ち、第１の基板１２１に対応する第１のマスク１３２、及び第２の基板１２１に対応する第２のマスク１３２が、マスクフレーム１３１の中に提供され、所定の位置でマスク１３２を保持する。
【００２６】
本明細書に記載の他の実施形態と組み合わせることができる、いくつかの実施形態によれば、基板１２１は、位置合わせユニット１１２に連結された基板支持体１２６によって支持することができる。位置合わせユニット１１２は、マスク１３２に対する基板１２１の位置を調整することができる。図２は、基板支持体１２６が位置合わせユニット１１２に連結されている実施形態を示す。したがって、基板は、有機材料の堆積中に基板とマスクとの間の適切な位置合わせを行うために、マスク１３２に対して移動される。本明細書に記載の他の実施形態と組み合わせることができる更なる実施形態によれば、代替的に又は追加的に、マスク１３２及び／又はマスク１３２を保持するマスクフレーム１３１を位置合わせユニット１１２に連結することができる。これにより、マスクを基板１２１に対して位置付けることができるか、マスク１３２及び基板１２１双方を互いに対して位置付けることができるかのどちらかとなる。位置合わせユニット１１２は、基板１２１とマスク１３２との間の相対位置を互いに対して調整するように構成されているが、堆積処理中にマスキングの適切な位置合わせを可能にし、高品質のディスプレイ製造又はＬＥＤディスプレイ製造に有益となる。
【００２７】
マスク及び基板の互いに対する位置合わせの例は、基板の平面及びマスクの平面に実質的に平行である平面を画定する少なくとも２つの方向における相対的な位置合わせを可能にする位置合わせユニットを含む。例えば、位置合わせは、ｘ−方向及びｙ−方向で、即ち、上記平行な平面を画定する２つのデカルト方向で少なくとも行うことができる。典型的には、マスク及び基板は、本質的に互いに平行とすることができる。特に、位置合わせは、更に、基板の平面及びマスクの平面に本質的に鉛直な方向に行うことができる。したがって、位置合わせユニットは、少なくともＸ−Ｙの位置合わせ、特にマスク及び基板の互いに対するＸ−Ｙ−Ｚの位置合わせにおいて構成される。本明細書に記載の他の実施形態と組み合わせることができる１つの特定の例は、基板をｘ−方向、ｙ−方向及びｚ−方向に、真空チャンバ１１０の中で静止状態に保持できるマスクに位置合わせすることである。
【００２８】
図２に示されるように、直線的ガイド２２０は、蒸発源１００の並進運動の方向を提供する。蒸発源１０００の両側に、マスク１３２が提供される。これにより、マスク１３２は、並進運動の方向に本質的に平行に延びることができる。更に、蒸発源１００の対向する側面における基板１２１はまた、並進運動の方向に本質的に平行に延びることができる。典型的な実施形態によれば、基板１２１は、バルブ２０５を介して、真空チャンバ１１０内へ及び真空チャンバ１１０から移動させることができる。これにより、堆積装置２００は、基板１２１各々の搬送用のそれぞれの搬送トラックを含むことができる。例えば、搬送トラックは、図２に示される基板位置に平行に、真空チャンバ１１０内へかつ真空チャンバ１１０から延びることができる。
【００２９】
典型的には、更なるトラックが、マスクフレーム１３１及びゆえにマスク１３２を支持するように提供される。したがって、本明細書に記載の他の実施形態と組み合わせることができる、いくつかの実施形態は、処理真空チャンバ１１０内に４つのトラックを含むことができる。例えば、マスク洗浄のためなど、チャンバからマスク１３２のうちの１つを移動させるために、マスクフレーム１３１及びこれによりマスクを基板１２１の搬送トラック上に移動させることができる。次いで、それぞれのマスクフレームは、基板の搬送トラック上で真空チャンバ１１０を出入りすることができる。真空チャンバ１１０内へ及び真空チャンバ１１０から分離した搬送トラックをマスクフレーム１３１に提供することが可能であるにせよ、堆積装置２００の所有コストは、ただ２つのトラック、即ち、基板に対する搬送トラックが、真空チャンバ１１０内に及び真空チャンバ１１０から延びる場合に、削減することができ、加えて、マスクフレーム１３１は、適切なアクチュエータ又はロボットによって基板に対する搬送トラックのそれぞれに移動することができる。
【００３０】
図２は、蒸発源１００の別の例示的実施形態を示す。蒸発源１００は、支持体１０２を含む。支持体１０２は、直線的ガイド２２０に沿った並進運動のために構成される。支持体１０２は、蒸発るつぼ１０４、及び蒸発るつぼ１０４上に提供された分配管１０６を支持する。これにより、蒸発るつぼで発生した蒸気は、上に向かって、分配管の一又は複数の排出口から移動することができる。本明細書に記載された実施形態によれば、分配管１０６はまた、蒸気分配シャワーヘッド、例えば、直線的蒸気分配シャワーヘッドと見なすことができる。
【００３１】
一又は複数の排出口は、例えば、シャワーヘッド又は他の蒸気分配システムに設けられる、一又は複数の開口部或いは一又は複数のノズルとすることができる。蒸発源は、蒸気分配シャワーヘッド、例えば、複数のノズル又は開口を有する直線的蒸気分配シャワーヘッドを含むことができる。シャワーヘッドは、シャワーヘッドの中の圧力がシャワーヘッドの外側の圧力よりも、例えば、少なくとも１桁ほど高くなるような開口を有する筐体を含むと本明細書では理解できる。
【００３２】
図２は、少なくとも１つのシールド２０２を有するシールドアセンブリを更に示す。典型的には、図２に示すように、実施形態は、２つのシールド２０２、例えば、サイドシールドを含むことができる。これにより、有機材料の蒸発は、基板に向かった方向に範囲を定めることができる。分配管に対する側方への蒸発、即ち、例えば、正常な（ｎｏｒｍａｌ）蒸発方向に対して鉛直な方向への蒸発は、回避するかアイドルモードだけで使用することができる。有機材料の蒸気ビームのスイッチを切ることと比較して、有機材料の蒸気ビームを遮断することの方が容易であり得るという事実を考慮すると、分配管１０６はまた、蒸気放出が望ましくない操作モード中に蒸気が蒸発源１００から出ていくのを回避するために、サイドシールド２０２のうちの１つに向かって回転され得る。
【００３３】
本明細書に記載の他の実施形態と組み合わせることができる、本明細書に記載の実施形態によれば、分配管の回転は、少なくとも分配管が装着される蒸発器制御ハウジングの回転により提供することができる。典型的には、蒸発るつぼもまた、蒸発器制御ハウジングに装着される。したがって、蒸発源は、少なくとも回転可能に装着される分配管、特に双方が、即ち、一体化して、回転可能に装着される分配管及び蒸発るつぼ、更に具体的には、一体的に回転可能に装着される制御ハウジング、分配管及び蒸発るつぼを含む。典型的には、一又は複数のサイドシールドは、固定して装着することができ、よって分配管と一体化して回転しない。典型的な例によれば、図２及び図３に示されるように、サイドシールドは、蒸気排出口が蒸発源の２つの側面に提供されるように提供でき、２つの側面は、それぞれ２つの基板のうちの１つに面している。したがって、固定されたサイドシールドは、軸周囲で分配管の回転に対して静止している。しかし、サイドシールドは、並進運動に従い、並進運動に対して移動可能である。
【００３４】
図３は、本明細書に記載の他の実施形態と組み合わせることができる更なる修正例を示す。これにより、図２に対して既に記載された詳細、態様及び特徴は、参照の便宜上省略されることになる。図２と比較して、図３に示された蒸発源１００は、３つの蒸発るつぼ１０４及び３つの分配管１０６を含む。有機材料の層で基板をコーティングするために、有機材料の１つの層を堆積させることを目的に、１つの有機材料を蒸発させることができる、又は複数の有機材料を蒸発させることができる。これにより、複数の有機材料が蒸気の状態で及び／又は基板の表面で混ざり、有機材料の１つの層を形成する。このことを考慮し、本明細書に記載の他の実施形態と組み合わせることができる、いくつかの実施形態によれば、複数の蒸発るつぼ１０４及び複数の分配管１０６を支持体１０２によって支持することができる。前述のように、分配管は、例えば、直線的分配シャワーヘッドなどの線源を提供することができ、更に、支持体１０２は、有機材料を基板１２１上に堆積させるために、直線的ガイド２２０に沿って移動する。
【００３５】
本明細書に記載の他の実施形態と組み合わせることができる更なる実施形態によれば、保守真空チャンバ２１０における蒸発源１００の移送を、直線的ガイド２２０の細長部分によって提供することができる。これにより、更なる直線的ガイド３２０が、保守真空チャンバ２１０の中に提供される。更に、第２の蒸発源１００を保守真空チャンバ２１０の中の待機位置に提供することができる。図３は、保守真空チャンバの左側の待機位置にある更なる蒸発源１００を示す。堆積装置２００を操作するいくつかの実施形態によれば、真空チャンバ１１０に示された蒸発源１００は、例えば、保守が所望されると、保守真空チャンバ２１０内に移動することができる。この移動のために、バルブ２０７を開放することができる。待機位置にあり、作動準備のできた状態にある図３に示された更なる蒸発源１００を真空チャンバ１１０内に移動させることができる。その後、バルブ２０７を閉鎖することができ、保守真空チャンバ２１０を、保守真空チャンバの中の待機位置内に移動したばかりの第１の蒸発源１００の保守のために換気及び開放することができる。これにより、蒸発源の迅速な交換が可能になる。したがって、堆積装置２００は、既知の堆積装置の所有コストのかなりの部分を生み出すダウンタイムを短縮した。
【００３６】
更に、本明細書に記載の実施形態により、１週間又はそれを上回る時間的尺度で、例えば、約±５％又はそれを下回る安定した蒸発率が可能になる。これは、特に、改善した保守状況によって提供することができる。しかし、更に有機材料を作用させる（ｏｐｅｒａｔｉｎｇ  ｏｒｇａｎｉｃ  ｍａｔｅｒｉａｌ）方法によれば、蒸発るつぼの中に有機材料を補充することは、真空を破壊することなく、更には堆積装置の蒸発を停止させることなく実行することができる。１つの蒸発源の保守及び補充は、別の源の動作から独立して実行することができる。源の保守及び補充は多くのＯＬＥＤ製造システムにおいて障害であるため、これは、所有コスト（ＣｏＯ）を改善する。要するに、ルーチン保守中に又はマスク交換中に基板ハンドリング又は堆積チャンバを換気する必要性がないことによる高いシステム稼働時間が、ＣｏＯを著しく改善することができる。前述のように、この改善の１つの理由は、保守真空チャンバ及び／又は本明細書に記載の保守真空チャンバと関連した他の構成要素であり、排気することができる別個のチャンバ、即ち、保守真空チャンバ又は別の源ストレージチャンバの中の一又は複数の蒸発源の保守及び事前調整が提供される。
【００３７】
図４Ａ及び４Ｂは、有機材料を堆積させるための堆積装置２００の概略側断面図を示す。これにより、図４Ａは、動作状況を示し、真空チャンバ１１０の中の左側の基板１２１は、有機材料でコーティングされる。図４Ｂは、動作状況を示し、真空チャンバ１１０の中の右側の基板１２１は、分配管１０６（２つの分配管は、図４Ａ及び図４Ｂの中で見ることができる）が回転された後に、有機材料でコーティングされる。
【００３８】
図４Ａ及び図４Ｂは、第１の基板１２１に対する第１の搬送トラック、及び第２の基板１２１に対する第２の搬送トラックを示す。第１のローラアセンブリが、真空チャンバ１１０の片側に示され、第２のローラアセンブリが、真空チャンバの反対側に示される。図４Ａ及び図４Ｂには、第１のローラアセンブリ及び第２のローラアセンブリのそれぞれのローラ４２４が示される。ローラは、軸４２５周囲を回転することができ、ドライバシステムによって駆動される。典型的には、複数のローラが、１つのモーターによって回転される。基板１２１は、キャリア４２１の中で支持される。本明細書に記載の他の実施形態と組み合わせることができる、いくつかの実施形態によれば、キャリア４２１は、その下側にロッドを有し、ロッドはローラと係合することができる。したがてって、本明細書に記載の他の実施形態と組み合わせることができる典型的な実施形態によれば、第１の基板に対する第１の搬送トレック（ｔｒｅｋ）及び第２の基板に対する第２の搬送トレックが提供される。２つの更なるトラックが、例えば、それぞれのローラアセンブリによって提供される。図４Ａ及び図４Ｂは、真空チャンバ１１０の両側のローラ４０３を示す。更なるトラックが、マスクフレーム１３１の中で支持することができるマスク１３２を支持するように構成される。例示的実施形態によれば、マスクフレーム１３１は、それぞれのローラアセンブリのローラ４０３と係合するためのロッド４３１をその下側に有することができる。
【００３９】
本明細書に記載の他の実施形態と組み合わせることができる、いくつかの実施形態によれば、処理システムで使用するように適合されたキャリアは、電極アセンブリ及び支持体ベースを含む。電極アセンブリは、基板を基板キャリアに固定するための静電吸着力を生成するように構成される。更なる追加的又は代替的な修正例によれば、支持体ベースは内部に形成された加熱／冷却リザーバを有する。電極アセンブリ及び支持体ベースは、処理システム内部での搬送のために構成された単一本体（ｕｎｉｔａｒｙ  ｂｏｄｙ）を形成する。キャリアは、処理システムの中で供給媒体に連結することができる。クイックディスコネクト（ｑｕｉｃｋ  ｄｉｓｃｏｎｎｅｃｔ）は、本体に結合することができ、本体が熱調節媒体の源から分離されると、リザーバ加熱／冷却リザーバの中で熱調節媒体を捕捉するように構成することができる。クイックディスコネクトは、吸着電荷を加えるために結合することができる。
【００４０】
本明細書に記載の他の実施形態と組み合わせることができる、いくつかの実施形態によれば、ローラ４０３からローラ４２４までマスクフレーム１３１を移動させるためのアクチュエータ又はロボットが、真空チャンバ１１０の中に提供される。これにより、マスクフレーム、更にはマスクが、搬送トラックを提供するローラアセンブリ上に提供される。したがって、マスクフレーム１３１は、基板のローラアセンブリにより提供される搬送トラックに沿って、真空チャンバ１１０内へ及び真空チャンバから移動させることができる。
【００４１】
図４Ａでは、左側の基板１２１は、有機材料でコーティングされる。これは、有機材料の蒸気が分配管１０６の中の複数の排出開口又はノズルから案内されていることを図示している参照番号１０によって示される。真空チャンバ１１０の右側の基板及びキャリアが、点線で図４Ａに示される。点線は、基板が真空チャンバ１１０内への若しくは真空チャンバ１１０からの搬送下にあること、又は基板及びマスク１３２が互いに対して現在位置合わせされていることを示す。典型的には、有機材料でコーティングされる基板の搬送及びマスクの位置合わせは、左側の基板上への有機材料の堆積が終了する前に、終了する。これにより、蒸発源１００は、左側の基板の堆積位置から、右側の基板の堆積位置まで直ちに観点することができ、これが図４Ｂに示されている。
【００４２】
蒸発源１００は、例えば、トルクモーター、電気ロボット又は空気圧ロータなどのアクチュエータ１０８を含む。アクチュエータ１０８は、例えば、強磁性流体フィードスルーなどの真空回転フィードスルー１０９を介して、トルクを提供することができる。アクチュエータ１０８は、本質的に垂直である軸周囲で少なくとも分配管１０６を回転させるように構成される。蒸発源は、例えば、アクチュエータ１０８及びフィードスルー１０９を収納することができる支持体１０２を含む。本明細書に記載の他の実施形態と組み合わせることができる、いくつかの実施形態によれば、蒸発源１００は、蒸発器制御ハウジング４０２を更に含む。蒸発器制御ハウジング４０２は、大気ボックス、即ち、真空チャンバ１１０が技術的真空になるまで排気されるときでさえ、内部の大気圧を維持するように構成されたボックスとすることができる。例えば、スイッチ、バルブ、コントローラ、冷却ユニット及び冷却制御ユニットから成るグループから選択された少なくとも１つの要素を蒸発器制御ハウジング４０２の中に提供することができる。支持体１０２は、蒸発るつぼ１０４及び分配管１０６を更に支持する。
【００４３】
本明細書に記載の他の実施形態と組み合わせることができる、いくつかの実施形態によれば、支持体１０２は、直線的ガイド４３３と係合される。蒸発源の並進運動は、直線的ガイド４３３内部へ又は直線的ガイド４３３上に支持体１０２を移動させることにより提供することができる。これにより、アクチュエータ、ドライバ、モーター、ドライバベルト、及び／又はドライバチェーンを直線的ガイドの中に又は支持体１０２の中に提供することができる。更なる代替案によれば、アクチュエータ、ドライバ、モーター、ドライバベルト、及び／又はドライバチェーンのそれぞれの部分を直線的ガイド及び支持体の双方の中に提供することができる。
【００４４】
分配管が、真空チャンバ１１０の中の左側の基板１２１がコーティングされるコーティング位置（図１Ａを参照）から、真空チャンバ１１０の中の右側の基板１２１が有機材料でコーティングされる位置（図４Ｂを参照）まで回転された後に、蒸発源１００は、真空チャンバ１１０の中の右側に基板１２１を堆積させるための直線的ガイド４３３に沿った並進運動によって移動される。図４Ｂの左側の点線によって示されるように、有機材料で事前にコーティングされた第１の基板は、真空チャンバ１１０からこの時点で移動される。新たな基板が左側の真空チャンバ１１０の中の処理領域内に提供され、マスク１３２及び基板１２１が互いに対して位置合わせされる。したがって、右側の基板１２１が有機材料の層でコーティングされた後に、左側の新たな基板１２１上に有機材料を再び堆積させるために、分配管１０６をアクチュエータ１０８により回転させることができる。
【００４５】
前述のように、本明細書に記載される実施形態は、基板１２１の１つの寸法に沿って線源を提供する少なくとも１つの分配管の並進運動と、第１の処理領域から第２の処理領域までの少なくとも１つの分配管の回転とを含み、第１の処理領域及び第２の処理領域の各々は、内部で支持される基板を有するように構成される。例えば、処理領域の中の基板は、基板位置の位置合わせのために搬送トラック及び／又はアクチュエータ上に順次提供されるキャリアの中で支持される。典型的には、線源を形成する少なくとも１つの分配管１０６が、本質的に垂直方向に延び、即ち、線源を画定する線が、本質的に垂直方向に延び、少なくとも１つの分配管１０６の回転軸もまた、本質的に垂直方向に延びる。少なくとも１つの分配管１０６は、動作中に回転するように構成される。図４Ａ及び図４Ｂに関する例について分かるように、線源を形成する方向及び回転軸の方向は、平行とすることができる。
【００４６】
いくつかの実施形態によれば、蒸発源は、例えば、スライド式コンタクトを有するなど、源への機械信号及び／又は電力伝送を含み得る。例えば、直線的ドライバ、真空回転ユニット及び／又はスライド式コンタクトの組み合わせを、蒸発源への信号及び／又は電力伝送のために提供することができる。本明細書に記載の他の実施形態と組み合わせることができる更なる実施形態によれば、蒸発源は、誘導性電力伝送及び／又は誘導性信号伝送を含むことができる。図４Ａ及び図４Ｂは、蒸発源１００における、例えば、支持体１０２における第１のコイル配置４５２、及び真空チャンバ１１０の中の第２のコイル配置４５３を示す。これにより、電力及び／又は制御信号を真空チャンバ１１０内から蒸発源１００まで誘導的に伝送することができる。例えば、コイル配置４５３は、電力及び／又は信号伝送を並進運動の位置に関係なく提供することができるように、真空チャンバの中を延びることができる。異なる実施態様によれば、蒸発るつぼ用電力の少なくとも１つ、即ち、有機材料を蒸発させるための電力の少なくとも１つ、アクチュエータ１０８用の電力、即ち、分配管回転用の電力、蒸発制御用の制御信号、分配管の回転制御用の制御信号、及び並進運動用の制御信号は、コイル配置の組み合わせによって提供することができる。
【００４７】
本明細書に記載の他の実施形態と組み合わせることができる典型的な実施形態によれば、蒸発源は、少なくとも１つの蒸発るつぼと、少なくとも１つの分配管、例えば、少なくとも１つの直線的蒸気分配シャワーヘッドとを含む。しかしながら、蒸発源は、２つ又は３つの、最終的には４つ又は５つでさえある蒸発るつぼと、対応する分配管とを含むことができる。これにより、異なる有機材料は、基板上に１つの有機層を形成するように、いくつかのるつぼのうちの少なくとも２つの中で蒸発させることができる。追加的に又は代替的には、類似の有機材料は、堆積速度が上昇可能となるように、いくつかのるつぼのうちの少なくとも２つの中で蒸発させることができる。有機材料は、多くの場合、比較的小さな温度範囲の中だけで（例えば、２０℃又はそれを下回る）蒸発させることができ、ゆえに、るつぼの中の温度を上昇させることによって、蒸発率を著しく高めることができないので、これが特にあてはまる。
【００４８】
本明細書に記載の実施形態によれば、蒸発源、堆積装置、蒸発源及び／又は堆積装置を操作する方法、並びに蒸発源及び／又は堆積装置を製造する方法が、垂直堆積のために構成される、即ち、基板は、層堆積中に、本質的に垂直配向（例えば、垂直±１０度）で支持される。更に、線源、並進運動及び蒸発方向の回転、特に軸が本質的に垂直である、例えば、基板配向及び／又は線源の線延長方向に平行である軸周囲の回転の組み合わせにより、約８０％又はそれを上回る高い材料利用率が可能になる。これは、他のシステムと比較して、少なくとも３０％の改善である。
【００４９】
処理チャンバ内、即ち、内部での層堆積用の真空チャンバ内での移動可能かつ旋回可能な蒸発源により、高い材料利用率での連続的又はほぼ連続的なコーティングが可能になる。一般的に、本明細書に記載の実施形態により、交互の２つの基板をコーティングするために１８０度旋回機構を有する走査源アプローチを使用することによって、高い蒸発源効率（＞８５％）及び高い材料利用率（少なくとも５０％又はそれを上回る）が可能になる。これにより、源効率は、蒸気ビームが、コーティング対象の基板の全体面積を均一にコーティングできるように、大面積基板のサイズを超えて延在するという事実により生じる材料損失を考慮に入れる。加えて、材料利用率は、蒸発源のアイドル時間中に、即ち、蒸発源が蒸発した材料を基板上に堆積させることができない時間中に生じる損失も考慮に入れる。
【００５０】
更にまた、本明細書に記載され、垂直基板配向に関する実施形態により、堆積装置の小さな設置面積、及び特に基板上で有機材料のいくつかの層をコーティングするためのいくつかの堆積装置を含む堆積システムが可能になる。これにより、本明細書に記載の装置は、大面積基板処理又は大面積キャリアの中の複数の基板の処理のために構成されていると見なすことができる。垂直配向により、現在及び未来のガラスサイズである、現在及び未来の基板サイズ世代に対する良好なスケーラビリティが更に可能になる。
【００５１】
図５Ａ及び図５Ｂは、堆積装置５００の更なる実施形態を示す。図５Ａは、堆積装置５００の概略上面図を示す。図５Ｂは、堆積装置５００の概略側断面図を示す。堆積装置５００は、真空チャンバ１１０を含む。バルブ２０５、例えば、ゲートバルブは、隣接する真空チャンバへの真空密閉を可能にする。バルブは、基板１２１又はマスク１３２の真空チャンバ１１０内への又は真空チャンバ１１０からの搬送のために開放することができる。２つ又はそれを上回る蒸発源１００が、真空チャンバ１１０の中に提供される。図５Ａに示された例は、７つの蒸発源を示す。本明細書に記載の他の実施形態と組み合わせることができる典型的な実施形態によれば、２つの蒸発源、３つの蒸発源、又は４つの蒸発源を、有利には提供することができる。またいくつかの実施形態により提供され得る蒸発源のより大きな数と比較して、蒸発源の限定された数（例えば、２から４）の保守のロジスティックの方が容易であり得る。したがって、そのようなシステムに対する所有コストの方が好ましい可能性がある。
【００５２】
本明細書に記載の他の実施形態と組み合わせることができる、いくつかの実施形態によれば、図５Ａに示された例について、ループ状トラック５３０を提供することができる。ループ状トラック５３０は、真っすぐな部分５３４及び湾曲部分５３３を含むことができる。ループ状トラック５３０は、蒸発源の並進運動及び蒸発源の回転のために提供される。前述のように、蒸発源は、典型的には線源、例えば、直線的蒸気分配シャワーヘッドとすることができる。
【００５３】
本明細書に記載の他の実施形態と組み合わせることができる、いくつかの実施形態によれば、ループ状トラックは、ループ状トラックに沿って一又は複数の蒸発源を移動させるために、レール若しくはレール装置、ローラ装置又は磁気ガイドを含む。  
【００５４】
ループ状トラック５３０に基づき、源のトレーンは、典型的にはマスク１３２によってマスクされる基板１２１に沿って並進運動で移動することができる。ループ状トラック５３０の湾曲部分５３３は、蒸発源１００を回転させる。更に、湾曲部分５３３は、第２の基板１２１の前に蒸発源を位置付けるように提供することができる。ループ状トラック５３０の更なる真っすぐな部分５３４は、更なる基板１２１に沿って更なる並進運動を提供する。これにより、前述のように、本明細書に記載の他の実施形態と組み合わせることができる、いくつかの実施形態によれば、基板１２１及びマスク１３２は、堆積中に本質的に静止したままである。線源、例えば、複数の線源を線の本質的に垂直配向に提供する蒸発源は、静止した基板に沿って移動される。
【００５５】
本明細書に記載の他の実施形態と組み合わせることができる、いくつかの実施形態によれば、真空チャンバ１１０の中に示された基板１２１は、ローラ４０３及び４２４を有する基板支持体によって、更に静止した堆積位置では、位置合わせユニット１１２に連結されている基板支持体１２６によって、支持することができる。位置合わせユニット１１２は、マスク１３２に対する基板１２１の位置を調整することができる。したがって、基板は、有機材料の堆積中に基板とマスクとの間の適切な位置合わせを行うために、マスク１３２に対して移動することができる。本明細書に記載の他の実施形態と組み合わせることができる更なる実施形態によれば、代替的に又は追加的に、マスク１３２及び／又はマスク１３２を保持するマスクフレーム１３１を位置合わせユニット１１２に連結することができる。これにより、マスクを基板１２１に対して位置付けることができるか、マスク１３２及び基板１２１双方を互いに対して位置付けることができるかのどちらかとなる。
【００５６】
図５Ａ及び図５Ｂに示される実施形態は、真空チャンバ１１０の中に提供される２つの基板１２１を示す。しかし、特に真空チャンバの中に蒸発源１００のトレーンを含む実施形態について、少なくとも３つの基板又は少なくとも４つの基板を提供することができる。これにより、基板の交換のための十分な時間、即ち、真空チャンバ内への新しい基板の搬送及び真空チャンバからの処理された基板の搬送のための十分な時間を、多数の蒸発源と、それゆえにより高いスループットとを有する堆積装置５００にさえも提供することができる。
【００５７】
図５Ａ及び図５Ｂは、第１の基板１２１に対する第１の搬送トラック、及び第２の基板１２１に対する第２の搬送トラックを示す。第１のローラアセンブリが、真空チャンバ１１０の片側に示される。第１のローラアセンブリは、ローラ４２４を含む。更に、搬送システムは、磁気案内素子５２４を含む。同様に、ローラ及び磁気案内素子を有する第２の搬送システムが、真空チャンバの反対側に提供される。搬送システムは、例えば、図４Ａ及び図４Ｂに関して記載されたように操作することができる。キャリア４２１の上部は、磁気案内素子５２４によって案内される。同様に、いくつかの実施形態によれば、マスクフレーム１３１は、ローラ４０３及び磁気案内素子５０３によって支持することができる。
【００５８】
図５Ｂは、ループ状トラック５３０のそれぞれ真っすぐな部分５３４上に提供された２つの支持体１０２を例示的に示す。蒸発るつぼ１０４及び分配管１０６は、それぞれの支持体１０２によって支持される。これにより、図５Ｂは、支持体１０２によって支持された２つの分配管１０６を示す。支持体１０２は、ループ状トラックの真っすぐな部分５３４上に案内さているように示される。本明細書に記載の他の実施形態と組み合わせることができる、いくつかの実施形態によれば、アクチュエータ、ドライバ、モーター、ドライバベルト、及び／又はドライバチェーンは、ループ状トラックに沿って、即ち、ループ状トラックの真っすぐな部分５３４に沿って、且つループ状トラックの湾曲部分５３３（図５Ａを参照）に沿って、支持体１０２を移動させるように提供することができる。
【００５９】
図６は、第１の堆積装置２００及び第２の堆積装置２００を有する堆積システム６００の実施形態を示す。本明細書に記載の他の実施形態と組み合わせることができる、本明細書に記載の実施形態によれば、一又は複数の移送チャンバが提供される。図６は、第１の移送チャンバ６１０及び第２の移送チャンバ６１１を例示的に示す。更に、移送チャンバ６０９及び６１２の部分が示される。図６に示されるように、ゲートバルブ６０５が、移送チャンバ６１０と移送チャンバ６０９との間に提供される。ゲートバルブ６０５は、移送チャンバ６１０と移送チャンバ６０９との間に真空密閉を提供するように開閉することができる。本明細書に記載の他の実施形態と組み合わせることができる、いくつかの実施形態によれば、一又は複数のゲートバルブを２つの隣接する移送チャンバの間に提供することができる。ゲートバルブ６０５の存在は、堆積システム６００の適用、即ち、基板上に堆積された有機材料層の種類、数、順番によって決まる。したがって、一又は複数のゲートバルブ６０５を移送チャンバの間に提供することができる。代替的には、ゲートバルブは、移送チャンバのどの間にも提供されない。
【００６０】
本明細書に記載の他の実施形態と組み合わせることができる、いくつかの実施形態によれば、移送チャンバのうちの一又は複数を真空回転チャンバとして提供することができる。その内部で、基板１２１を中心軸、例えば、垂直な中心軸周囲で回転させることができる。これによって、搬送トラック６２１の配向を変更することができる。移送チャンバ６１１の中に示されるように、２つの基板１２１が回転される。基板１２１が位置する２つの搬送トラック６２１Ｒは、２つの搬送トラック６２１に対して回転し、堆積装置２００の搬送トラック６２１から延在する。これらを考慮し、搬送トラック６２１Ｒ上の２つの基板１２１が、隣接する移送チャンバ６１０又は６１２に移送される位置にそれぞれ提供される。
【００６１】
第１の堆積装置２００は、バルブ２０５によって、第１の移送チャンバ６１０に連結される。図６に示されるように、且つ本明細書に記載の他の実施形態と組み合わせることができる、いくつかの実施形態によれば、搬送トラック６２１は、真空チャンバ１１０から移送チャンバ６１０内まで延びる。これにより、基板１２１の一又は複数を真空チャンバ１１０から移送チャンバ６１０まで移送することができる。これにより、バルブ２０５は、典型的には、一又は複数の基板の搬送のために開放される。更なる堆積装置２００は、更なるバルブ２０５によって、第２の移送チャンバ６１１に連結される。したがって、１つの堆積装置から移送チャンバへ、移送チャンバから更なる移送チャンバへ、且つ更なる移送チャンバから更なる堆積装置へ、基板を移送することができる。これによって、基板を大気、及び非真空状態、及び／又は不所望な環境に露出せずに、有機材料のいくつかの層を基板上に堆積させることができる。本明細書に記載の他の実施形態と組み合わせることができる典型的な実施形態によれば、移送チャンバは、例えば、真空状態及び／又は所望の環境下で一又は複数の基板を移送するように構成されている真空移送チャンバである。
【００６２】
図６に示された堆積装置２００は、図３に関して記載された堆積装置に類似である又はそれに相当する。本明細書中で位置装置について記載された態様、詳細及び特徴はまた、図６に例示的に示された堆積システム６００に提供することができる。本明細書に記載の他の実施形態と組み合わせることができる、いくつかの実施形態によれば、蒸発源１００’を堆積装置２００の中に提供することができる。蒸発源１００’は、基板１２１上で有機材料を案内するように構成されている４つの分配管を含む。これにより、異なる有機材料は、基板上に１つの有機層を形成するように、４つのるつぼのうちの少なくとも２つの中で蒸発させることができる。追加的に又は代替的には、類似の有機材料は、堆積速度が上昇可能となるように、４つのるつぼのうちの少なくとも２つの中で蒸発させることができる。４つの蒸発るつぼの中で蒸発したそれぞれの材料は、図６に示された４つの分配管のそれぞれによって、基板１２１の方に案内される。
【００６３】
前述のように、本明細書に記載の他の実施形態と組み合わせることができる、いくつかの実施形態によれば、基板１２１は、真空チャンバ１１０から第１の方向に沿って移動させることができる。これにより、基板１２１は、本質的に真っすぐな経路に沿って、隣接する真空チャンバ内に、例えば、移送チャンバ内に移動される。移送チャンバの中で、基板は、第１の方向と異なる第２の方向に第２の真っすぐな経路に沿って移動できるように、回転させることができる。典型的な実施形態によれば、第２の方向は、第１の方向に対して実質的に鉛直である。これは、堆積システムの容易な設計を可能にする。基板を真空チャンバ１１０の中に積み込むために、基板を第２の方向に沿って移送チャンバの中に移動させることができ、その内部で回転させることができる。その後、第２の方向と異なる第１の方向に沿って、基板を真空チャンバ１１０内に移動させることができる。
【００６４】
図７Ａから図７Ｃは、本明細書に記載の実施形態従って利用することができる蒸発源の部分を示す。蒸発源は、図７Ａに示すように、分配管１０６及び蒸発るつぼ１０４を含むことができる。これにより、例えば、この分配管は、加熱ユニット７１５を有する細長い立方体とすることができる。蒸発るつぼは、加熱ユニット７２５で蒸発する有機材料用のリザーバとすることができる。本明細書に記載の他の実施形態と組み合わせることができる典型的な実施形態によれば、分配管１０６は、線源を提供する。例えば、複数の開口及び／又はノズルが、少なくとも１つの線に沿って配置される。代替的実施形態によれば、少なくとも１つの線に沿って延びる１つの細長い開口を提供することができる。例えば、細長い開口は、スリットとすることができる。本明細書に記載の他の実施形態と組み合わせることができる、いくつかの実施形態によれば、線は本質的に垂直に延びる。例えば、分配管１０６の長さは、少なくとも堆積装置の中に堆積される基板の高さに対応する。多くの場合、分配管１０６の長さは、堆積される基板の高さよりも、少なくとも１０％ほど又は２０％ほど長くなるだろう。これにより、基板の上端及び／又は基板の下端における均一な堆積を提供することができる。
【００６５】
本明細書に記載の他の実施形態と組み合わせることができる、いくつかの実施形態によれば、分配管の長さは、１．３ｍ又はそれを上回る、例えば、２．５ｍ又はそれを上回るとすることができる。１つの構成によれば、図７Ａに示されるように、蒸発るつぼ１０４は、分配管１０６の下端に提供される。有機材料は、蒸発るつぼ１０４の中で蒸発する。有機材料の蒸気が、分配管の底で分配管１０６に入り、本質的に側方から、分配管の中の複数の開口を通って、例えば、本質的に垂直な基板の方へ案内される。例示的目的で、熱シールドを含まない、蒸発るつぼ１０４及び分配管１０６が、図７Ａに示される。これにより、加熱ユニット７１５及び加熱ユニット７２５が、図７Ａに示される概略斜視図の中に見られる。
【００６６】
図７Ｂは、蒸発源の一部の拡大概略図を示し、分配管１０６が蒸発るつぼ１０４に連結されている。蒸発るつぼ１０４と分配管１０６との間を連結するように構成されているフランジユニット７０３が提供される。例えば、蒸発るつぼ及び分配管が、例えば、蒸発源の動作のために、フランジユニットで分離及び連結又は組み立てることができる分離ユニットとして提供される。
【００６７】
分配管１０６は、内側が中空の空間７１０を有している。加熱ユニット７１５は、分配管を加熱するために提供される。したがって、分配管１０６は、蒸発るつぼ１０４によって提供される有機材料の蒸気が、分配管１０６の壁の内側部分で液化しない温度まで加熱することができる。シールド７１７が、分配管１０６の管周囲に提供される。シールドは、加熱ユニット７１５により提供される熱エネルギーを中空スペース７１０の方に反射し返すように構成される。これにより、分配管を加熱するのに必要なエネルギー、即ち、加熱ユニット７１５に提供されるエネルギーは、シールド７１７が熱損失を低下させるので、低下させることができる。本明細書に記載の他の実施形態と組み合わせることができる、いくつかの実施形態によれば、シールド７１７は、１つの加熱シールド層を含むことができる。代替的には、２つ又はそれを上回る加熱シールド層を加熱シールド７１７内に提供することができる。
【００６８】
典型的には、図７Ｂに示されるように、熱シールド７１７は、分配管１０６の中の開口７１２の位置に開口を含む。図７Ｂに示される蒸発源の拡大図は、４つの開口７１２を示す。開口７１２は、分配管１０６の軸に本質的に平行な線に沿って提供される。本明細書に記載されるように、分配管１０６は、例えば、内部に配置された複数の開口を有する、直線的分配シャワーヘッドとして提供することができる。これにより、本明細書中で理解されるシャワーヘッドは、例えば、蒸発るつぼから、材料を提供又は案内することができる、筐体、中空スペース、又はパイプを有する。シャワーヘッドは、シャワーヘッド内の圧力がシャワーヘッドの外側の圧力より高くなるような複数の開口（又は細長いスリット）を有することができる。例えば、シャワーヘッド内の圧力は、シャワーヘッドの外側の圧力よりも少なくとも１桁高いとすることができる。
【００６９】
動作中に、分配管１０６が、フランジユニット７０３で蒸発るつぼ１０４と連結される。蒸発るつぼ１０４は、蒸発させる対象となる有機材料を受け取り、有機材料を蒸発させるように構成される。図７Ｂは、蒸発るつぼ１０４のハウジングを通る断面図を示す。リフィル開口は、例えば、プラグ７２２、蓋、カバー又は蒸発るつぼ１０４の筐体を閉じるための同種のものを使用して閉鎖することができる、蒸発るつぼの上部に提供される。
【００７０】
外側加熱ユニット７２５は、蒸発るつぼ１０４の筐体内に提供される。外側加熱要素は、少なくとも蒸発るつぼ１０４の壁の一部に沿って延びるとすることができる。本明細書に記載の他の実施形態と組み合わせることができる、いくつかの実施形態によれば、一又は複数の中央加熱要素７２６を追加的に又は代替的に提供することができる。図７Ｂは、２つの中央加熱要素７２６を示す。中央加熱要素７２６は、中央加熱要素に電力を供給するための導体７２９を含むことができる。いくつかの実施態様によれば、蒸発るつぼ１０４は、シールド７２７を更に含むことができる。シールド７２７は、外側加熱ユニット７２５、及び存在する場合には、中央加熱要素７２６によって提供される熱エネルギーを蒸発るつぼ１０４の筐体内に反射し返すように構成することができる。これにより、蒸発るつぼ１０４内での有機材料の効率的加熱を提供することができる。
【００７１】
本明細書に記載された、いくつかの実施形態によれば、シールド７１７及びシールド７２７などの熱シールドを蒸発源に提供することができる。熱シールドは、蒸発源のエネルギー損失を減少させることができる。これにより、エネルギー消費を縮小させることができる。しかしながら、更なる態様として、特に有機材料の堆積について、蒸発源から生じた熱放射、特に堆積中にマスク及び基板に向かった熱放射を減少させることができる。特にマスクされた基板上への有機材料の堆積について、更にディスプレイ製造について、基板及びマスクの温度を正確に制御する必要がある。したがって、蒸発源から生じた熱放射を低下させる又は回避することができる。したがって、本明細書に記載された、いくつかの実施形態は、シールド７１７及びシールド７２７などの熱シールドを含む。
【００７２】
これらのシールドは、蒸発源の外側への熱放射を減少させるためのいくつかのシールド層を含むことができる。更なるオプションとして、熱シールドは、空気、窒素、水又は他の適切な冷却流体などの流体によって能動的に冷却されるシールド層を含み得る。本明細書に記載の他の実施形態と組み合わせることができる更なる実施形態によれば、蒸発源に提供される一又は複数の熱シールドは、分配管１０６及び／又は蒸発るつぼ１０４など、蒸発源のそれぞれの部分を取り囲む薄板金属を含むことができる。例えば、薄板金属は、０．１ｍｍから３ｍｍの厚さを有することができ、鉄系金属（ＳＳ）及び非鉄金属（Ｃｕ、Ｔｉ、Ａｌ）から成るグループから選択された少なくとも１つの材料から選択することができ、及び／又は例えば、０．１ｍｍ又はそれを上回る間隙によって、互いに対して間隔を空けることができる。
【００７３】
いくつかの実施形態によれば、図７Ａ及び図７Ｂに例示的に示されるように、蒸発るつぼ１０４は、分配管１０６の下端に提供される。本明細書に記載の他の実施形態と組み合わせることができる更なる実施形態によれば、蒸気導管７３２は、分配管の中央部分又は分配管の下端と分配管の上端との間の別の位置で分配管１００６に提供することができる。図７Ｃは、分配管１０６及び分配管の中央部分に提供される蒸発導管７３２を有する蒸発源の例を示す。有機材料の蒸気は、蒸発るつぼ１０４の中で発生し、蒸気導管７３２を通って分配管１０６の中央部分に案内される。蒸気は、複数の開口７１２を通って分配管１０６を出る。分配管１０６は、本明細書に記載された他の実施形態に関して説明されたように、支持体１０２によって支持される。本明細書に記載の他の実施形態と組み合わせることができる更なる実施形態によれば、２つ又はそれを上回る蒸気導管７３２が、分配管１０６の長さに沿って異なる位置に提供できる。これによって、蒸気導管７３２は、１つの蒸発るつぼ１０４かいくつかの蒸発るつぼ１０４かのどちらかに連結することができる。例えば、各蒸気導管７３２は、対応する蒸発るつぼ１０４を有することができる。代替的には、蒸発るつぼ１０４は、分配管１０６に連結されている２つ又はそれを上回る蒸気導管７３２と流体連通することができる。
【００７４】
本明細書に記載されるように、分配管は、中空の円筒とすることができる。これにより、用語「円筒」は、円形の底形状及び円形の上部形状、並びに上部円形及び小さな下部円形と連結する湾曲した表面積又はシェルを有すると一般的に認められると理解することができる。本明細書に記載の他の実施形態と組み合わせることができる更なる実施形態によれば、用語「円筒」は、任意の底形状及び一致する上部形状、並びに上部形状及び下部形状と連結する湾曲した表面積又はシェルを有すると数学的意味において更に理解することができる。したがって、円筒は、必ずしも円形の断面を有する必要はない。その代わりに、ベース面及び上面は、円と異なる形状を有することができる。
【００７５】
図５Ａ及び図５Ｂについて記載されたように、蒸発源のトレーンを有する実施形態及び／又は蒸発源の並進運動及び回転運動のためのループ状トラックを有する実施形態は、３つ以上の基板を真空チャンバの中に提供することから恩恵を受けることができる。３つ以上の基板を真空チャンバ１１０内に提供する異なる実施形態が、図８Ａ、図８Ｂ及び図９に示される。図８Ａに示された例について、真空チャンバ１１０は、基板１２１を処理することができる、例えば、有機材料を基板１２１上で堆積することができる、４つの位置又は処理領域を含み得る。これにより、本明細書に記載の他の実施形態と組み合わせることができる、いくつかの実施形態によれば、特に、複数の蒸発源が提供される堆積装置５００について、スループットを増加させるために、基板の交換を加速することができる。図８Ａに示される堆積装置５００は、２つの移送チャンバ８１０を含む。移送チャンバの各々は、真空チャンバ１１０に隣接して提供される。例えば、移送チャンバ８１０は、バルブ２０５を介して、真空チャンバ１１０に連結することができる。本明細書に示される他の実施形態に関して記載されるように、図８Ａに示された２つの移送チャンバ８１０の代わりに、１つの移送チャンバを提供することができる。
【００７６】
搬送トラック６２１が、移送チャンバ８１０の中に提供される。搬送トラック６２１は、真空チャンバ１１０内に延びる。本明細書に記載の他の実施形態と組み合わせることができる、いくつかの実施形態によれば、搬送トラックは、ローラの配置、磁気案内素子の配置、及び／又は基板及び／又は基板を有するキャリアの本質的な直線的運動のために構成された他の搬送要素によって画定することができ、基板は、典型的には、本質的に垂直に配向される。図８Ａに示されるように、例えば、基板を内部に配置したキャリア４２１を支持することによって、基板を支持する基板支持体１２６を提供することができる。本明細書に記載の他の実施形態と組み合わせることができる、いくつかの実施形態によれば、基板１２１は、搬送トラック６２１から自然にずれる処理位置に提供することができる。例えば、基板１２１は、処理位置内へ又は処理位置から基板を位置付けるための搬送トラック６２１の方向と本質的に鉛直な方向に移動させることができる。
【００７７】
４つの基板１２１が真空チャンバ１１０の中に提供され、２つの基板は、搬送トラック６２１の方向と本質的に平行な線に沿って位置付けることができる。したがって、２つの基板は、第１の線に沿って位置付けられ、２つ基板は、第２の線に沿って位置付けられる。複数の蒸発源１００を移動させるためのループ状トラック５３０は、第１の線と第２の線との間に提供される。いくつかの実施形態によれば、ループ状トラックは、２つの真っすぐな部分及び２つの湾曲した部分を含むことができる。２つの真っすぐな部分は、第１の線と本質的に平行とすることができ、及び／又は基板１２１と本質的に平行とすることができる。蒸発源１００は、例えば、直線的分配シャワーヘッドで、基板上の有機材料の位置に並進運動を提供するように、ループ状トラック５３０の真っすぐな位置に沿って移動させることができる。蒸発源１００は、ループ状トラックの湾曲部分に沿って、蒸発源の移動によって回転される。これにより、有機材料の蒸気が蒸発源の分配管により案内される方向は、例えば１８０度、回転される。したがって、蒸発源の分配管は、少なくとも１６０度回転可能である。
【００７８】
本明細書に記載の他の実施形態と組み合わせることができる、いくつかの実施形態によれば、例えば、マスクフレーム１３１によって支持することができるマスク１３２が、基板位置によって画定される第１の線とループ状トラック５３０との間、又は更なる基板位置によって画定される第２の線とループトラック５３０との間にそれぞれ提供される。ループトラック５３０は、マスク１３２によってマスクされる基板に沿って複数の蒸発源１００の並進運動を可能にする。本明細書に記載の他の実施形態と組み合わせることができる、いくつかの実施形態によれば、２つ又はそれを上回る蒸発源１００が、ループ状トラック５３０上に提供される。例えば、図８Ａは、ループトラック５３０上に提供された８つの蒸発源１００を示す。２つ又はそれを上回る蒸発源は、並進運動が次々に行われている状態で、基板を越えて搬送することができる。これにより、例えば、蒸発源１００の各々が、有機材料の１つの層を堆積させることができる。したがって、有機材料のいくつかの異なる層を、処理位置に提供される基板上に堆積させることができる。本明細書に記載の他の実施形態と組み合わせることができる、いくつかの実施形態によれば、２つ若しくはそれを上回る蒸発源１００、又は蒸発源の各々でさえ、基板上に異なる有機材料の異なる層を堆積させることができる。
【００７９】
本明細書に記載の他の実施形態と組み合わせることができる更なる実施形態によれば、保守真空チャンバ２１０を提供することができる。例えば、保守真空チャンバ２１０は、バルブ２０７により真空チャンバ１１０から分離させることができる。バルブ２０７は、真空チャンバ１１０と保守真空チャンバ２１０との間の真空密閉を開閉するように構成される。蒸発源１００は、保守真空チャンバ２１０に移送することができる。その後、バルブは、真空チャンバ１１０と保守真空チャンバ２１０との間に真空密閉を提供するように閉鎖することができる。従って、保守真空チャンバは、真空チャンバ１１０の真空を破壊せずに、換気及び開放することができる。
【００８０】
更なるトラック８２０、例えば、更なるループ状トラックが、保守真空チャンバ２１０の中に提供される。図８Ａに例示的に示されるように、更なるトラック８２０の湾曲部分は、ループ状トラック５３０の湾曲部分と重なることができる。これにより、ループ状トラック５３０から更なるトラック８２０への蒸発源１００の移送が可能になる。従って、蒸発源をループ状トラック５３０から更なるトラック８２０まで、及びその逆に移動させることができる。これにより、蒸発源の保守のため、及び保守真空チャンバ２１０から真空チャンバ１１０内への維持された蒸発源の移動のために、保守真空チャンバ２１０の中での蒸発源の移動が可能になる。維持された蒸発源は、真空チャンバ１１０の中の基板上で有機材料を蒸発させることができる。
【００８１】
図８Ａには示されないが、基板及びマスクの互いに対する位置合わせのための一又は複数の位置合わせユニットは、図８Ａに示される堆積装置５００の中に提供することができる。図８Ａは、ループ状トラック５３０が、２つの基板の処理位置によって画定された第１の線と２つの更なる基板の処理位置によって画定された第２の線との間に提供される実施形態を示す。
【００８２】
ループ状トラック５３０の代替的な配置が図８Ｂに示される。これにより、ループ状トラック５３０は、少なくとも１つの基板、典型的には、基板の処理位置によって画定された線に沿って配置された２つ又はそれを上回る基板を取り囲む。上記を考慮し、１つのオプションによれば（図８Ａを参照）、少なくとも２つの基板は、有機材料が堆積されたそれらの基板のそれぞれの表面が互いに向かい合うように配向することができる。別のオプションによれば（図８Ｂを参照）、真空チャンバ１１０の中の基板と、有機材料が堆積されるそれらそれぞれの表面とは、同一方向に配向される。図８Ａ及び図８Ｂに示された堆積装置５００は、４つの基板１２１を収納するように構成されている真空チャンバ１１０を示しているが、それぞれの改良を２つの基板１２１を収納するように構成されている真空チャンバに提供することもできる。例えば、保守真空チャンバ２１０、更なるトラック８２０、搬送トラック６２１、移送チャンバ８１０又は同種のものに関する、更なる詳細、態様及び特徴を、図８Ａに示された実施形態に対して記載された類似の方法で、図８Ｂに示された実施形態において実施することができる。
【００８３】
本明細書に記載の実施形態によれば、堆積装置は、２つ又はそれを上回る基板を有するチャンバ、即ち、基板処理領域を含む。１つの基板が処理されている際に、別の基板がチャンバ内へ又はチャンバから移動される。したがって、１つの基板を１つの基板処理領域の中で処理することができる。更に、第２の基板処理領域に位置する基板を除去することができ、新しい基板を第２の基板処理領域内に移動させることができる。
【００８４】
本明細書に記載されるように、一又は複数の蒸発源を、並進運動により静止した基板を走査する一又は複数の線源として提供することができる。特に源トレーン及び／又はループ状トラックを有する実施形態について、有機層毎に少なくとも１つの線源を提供することができる。例えば、ディスプレイを製造している場合に、線源を発光層、孔搬送層、孔注入層又は同種のものに提供することができる。
【００８５】
図９は、堆積装置５００の更なる実施形態を示す。堆積装置５００は、本明細書に記載された他の実施形態に対して先ほど説明されたような移送チャンバ８１０、バルブ２０５、保守真空チャンバ２１０、及び更なるトラック８２０を含む。図９に示された実施形態が、基板上に有機材料を堆積させるように真空チャンバ内への基板１２１の更に良好な交換を支援するために、４つの移送チャンバ８１０を含むにもかかわらず、類似の搬送トラックが移送チャンバ８１０の中に提供される。搬送トラックは、真空回転区画内への及び真空回転区画からの基板の搬送のための真空回転区画９１０内へ延びる。図９は、４つの真空回転区画９１０が真空チャンバ１１０に連結される例を示す。ループ状トラック５３０が、真空チャンバ１１０の中に提供される。複数の蒸発源１００は、ループ状トラック５３０により支持され、ゆえにループ状トラックの真っすぐな部分に沿った並進運動、及びループ状トラックの湾曲部分に沿った回転移動を行うことができる。
【００８６】
真空回転区画９１０は、真空チャンバ１１０及び真空回転区画９１０を含むシステムが排気できるように、真空チャンバ１１０に連結される。代替的には、回転モジュールを含む１つのチャンバを提供することができる。真空回転区画９１０内での基板の回転は、参照番号９１１で表示された円によって示される。本明細書に記載の他の実施形態と組み合わせることができる典型的な実施形態によれば、真空回転区画の各々は、真空回転モジュールを含み、基板を真空回転モジュールの第１の部分に積み込む又はそこから取り外すことができる。例えば１８０度、移送チャンバ８１０から積み込まれた基板を回転させると、処理位置において基板１２１が移動し、蒸発源が基板の表面に沿って走査を行う。更なる代替例によれば、基板を処理位置内へ提供するための基板の回転はまた、例えば、真空チャンバ及び区画が別様に配置される場合に、１８０度とは異なる角度で行うことができる。しかしながら、移送位置から処理位置まで基板を移動させるための１８０度の回転は、比較的小さな設置面積を提供する。
【００８７】
図９に示されるように、例えば、回転モジュールは、基板１２１及びマスク１３２が、回転モジュールの中に提供された２つの基板の場所毎に互いに対して位置合わせできるような２つの位置合わせユニット１１２を含むことができる。１つの実施形態によれば、堆積装置は、例えば、４つの真空回転モジュールと、８つの基板支持体位置とを含むことができる。しかしながら、本明細書に記載の更なる実施形態と組み合わせることができる他の実施形態によれば、異なる数の基板支持体位置及び／又は異なる数の真空回転モジュールを提供することができる。例えば、少なくとも２つの基板処理位置は、本明細書に記載の実施形態にしたがって提供される。これによって、基板処理位置は、蒸発源の少なくとも分配管の回転によって基板の処理が可能になるように配置される。別の例として、少なくとも２つの回転モジュール、少なくとも２つの基板処理位置及び少なくとも４つの基板支持体位置（そのうちの２つは基板処理位置でもある）を提供することができる。
【００８８】
図１０は、本明細書に記載された実施形態による有機材料を蒸発させる方法を示すフローチャートを図示する。一般的に、金属利用率を改善するために、２つの基板位置が提供される。これは、蒸発源の、特に直線的分配シャワーヘッドなどの線源の並進運動及び回転運動と組み合わされる。ステップ８０２では、本質的に垂直配向で提供される第１の基板は、第１の処理位置において移動される。ステップ８０４において、蒸発源は、少なくとも並進運動で、例えば、第１の基板を走査するなど、第１の処理位置に位置する第１の基板に沿って移動し、有機材料が第１の基板上に堆積される。第１の基板が処理される間、第２の処理位置を、内部での第２の基板処理のために準備することができる。ステップ８０６において、例えば、第２の基板は、第１の処理位置とは異なる第２の処理位置の中で移動することができる。更に、第２の基板の準備は、第２の処理位置から事前に処理された基板を除去すること、及び／又はマスク及び第２の基板を互いに対して位置合わせすることを含み得る。ステップ８０８では、蒸発源のすくなくとも分配管が回転され、次に、第２の処理位置に向けられる。本明細書に記載されるように、本質的に垂直な軸周囲、典型的には、線源が延びる軸周囲で回転を行うことができる。ステップ８０９において、蒸発源は、少なくとも並進運動で、例えば、第２の基板を走査するなど、第２の処理位置に位置する第２の基板に沿って移動し、有機材料が第２の基板上に堆積される。
【００８９】
１つの実施形態によれば、有機材料用の蒸発源が提供される。蒸発源は、有機材料を蒸発させるように構成された蒸発るつぼと；蒸発るつぼと流体連通しており、蒸発中に軸周囲を回転可能である、一又は複数の排出口を有する分配管と；第１のドライバと連結可能であり又は第１のドライバを含む、分配管の支持体であって、第１のドライバが支持体及び分配管の並進運動のために構成される、支持体とを含む。
【００９０】
別の実施形態によれば、有機材料を真空チャンバの中に堆積させるための堆積装置が提供される。堆積装置は、処理真空チャンバと；処理真空チャンバの中で有機材料を蒸発させる、有機材料用の蒸発源と；真空チャンバの中に配置され、少なくとも２つのトラックを有する基板支持体システムであって、基板支持体システムのトラック、例えば、各トラックが、基板又は真空チャンバの中で基板を運ぶキャリアの本質的に垂直な支持体のために構成される、基板支持体システムとを備える。蒸発源は、有機材料を蒸発させるように構成された蒸発るつぼと；蒸発るつぼと流体連通しており、蒸発中に軸周囲を回転可能である、一又は複数の排出口を有する分配管と；第１のドライバと連結可能であり又は第１のドライバを含む、分配管の支持体であって、第１のドライバが支持体及び分配管の並進運動のために構成される、支持体とを含む。
【００９１】
更なる実施形態によれば、有機材料を蒸発させるための方法が提供される。有機材料を蒸発させる方法は、本質的に垂直な第１の処理位置で第１の基板を移動させることと；蒸発源が有機材料を蒸発させる間に、少なくとも並進運動で第１の基板に沿って蒸発源を移動させることと；第１の処理位置と異なる本質的に垂直な第２の処理位置で第２の基板を移動させることと；蒸発中に軸周囲で蒸発源の分配管を回転させることと；蒸発源が有機材料を蒸発させる間に、少なくとも１つの並進運動で第２の基板に沿って蒸発源を移動させることとを含む。
【００９２】
本明細書に記載の他の実施形態と組み合わせられるいくつかの実施形態によれば、分配管は、一又は複数の排出口を含む蒸気分配シャワーヘッドであってよい。本明細書に記載の他の実施形態と組み合わせられるいくつかの実施形態によれば、分配管は、少なくとも１８０度又は少なくとも３６０度回転可能であってよい。本明細書に記載の他の実施形態と組み合わせられるいくつかの実施形態によれば、分配管は、支持体に対して分配管を回転させ、更に特に支持体に対して蒸発るつぼも回転させる第２のドライバによって、軸周囲を回転可能であってよい。本明細書に記載の他の実施形態と組み合わせられるいくつかの実施形態によれば、分配管は、ループ状トラックに沿って進行することによって、軸周囲を回転可能であってよい。本明細書に記載の他の実施形態と組み合わせられるいくつかの実施形態によれば、蒸発源は、内部で大気圧を維持するように構成された蒸発器制御ハウジングであって、支持体によって支持され、スイッチ、バルブ、コントローラ、冷却ユニット及び冷却制御ユニットから成るグループから選択された少なくとも１つの要素を収納するように構成されたハウジングを更に備えてよい。本明細書に記載の他の実施形態と組み合わせられるいくつかの実施形態によれば、蒸発源は、有機材料の蒸発を遮蔽するための少なくとも１つのサイドシールド、特に２つのサイドシールドを更に備えてよい。本明細書に記載の他の実施形態と組み合わせられるいくつかの実施形態によれば、蒸発源は、誘導性電力伝送及び誘導性信号伝送のうちの少なくとも１つのためのコイルを更に備えてよい。本明細書に記載の他の実施形態と組み合わせられるいくつかの実施形態によれば、堆積装置は、処理真空チャンバと連結した保守真空チャンバと、処理真空チャンバと保守真空チャンバとの間の真空密閉を開閉するための真空バルブとを更に備えてよく、蒸発源を処理真空チャンバから保守真空チャンバへ及び保守真空チャンバから処理真空チャンバへ移送することができる。本明細書に記載の他の実施形態と組み合わせられるいくつかの実施形態によれば、第２の基板は、蒸発源が第１の基板に沿って移動される間に、本質的に垂直な第２の処理位置で移動されてよい。
【００９３】
上記は本発明の実施形態を対象とするが、本発明の基本的な範囲から逸脱することなく、本発明の他の更なる実施形態を考案することもでき、本発明の範囲は、以下の特許請求の範囲によって決定される。
【図１】
2018154926.tif 000003
【図２】
2018154926.tif 000004
【図３】
2018154926.tif 000005
【図４】
2018154926.tif 000006
【図５】
2018154926.tif 000007
【図６】
2018154926.tif 000008
【図７】
2018154926.tif 000009
【図８】
2018154926.tif 000010
【図９】
2018154926.tif 000011
【図１０】
2018154926.tif 000012
【手続補正書】
【提出日】平成30年6月8日(2018.6.8)
【手続補正１】
【補正対象書類名】特許請求の範囲
【補正対象項目名】全文
【補正方法】変更
【補正の内容】
【特許請求の範囲】
【請求項１】
有機材料用の蒸発源であって、
前記有機材料を蒸発させるように構成された蒸発るつぼと、
前記蒸発るつぼと流体連通しており、蒸発中に軸の周囲を回転可能である、１または複数の排出口を有する分配管と、
第１のドライバと連結された又は前記第１のドライバを含む、前記分配管の支持体であって、前記第１のドライバが前記支持体及び前記分配管の並進運動のために構成されている、支持体と、
前記支持体（１０２）に支持され、内部の大気圧を維持するように構成された蒸発器制御ハウジング（４０２）、
とを備える、蒸発源。
【請求項２】
前記蒸発るつぼが前記蒸発器制御ハウジングに取り付けられ、前記分配管及び前記蒸発るつぼは一緒に回転できるように取り付けられている、請求項１に記載の蒸発源。
【請求項３】
前記分配管、前記蒸発るつぼ、及び前記蒸発器制御ハウジングが一緒に回転可能である、請求項２に記載の蒸発源。
【請求項４】
前記分配管は前記１または複数の排出口を含む蒸気分配シャワーヘッドであり、特に前記蒸気分配シャワーヘッドが直線的蒸気分配シャワーヘッドである、請求項１から３の何れか一項に記載の蒸発源。
【請求項５】
前記分配管が、本質的に垂直に延びる線源を提供し、及び／又は前記分配管を回転させる前記軸が、本質的に垂直に延びる、請求項１から４の何れか一項に記載の蒸発源。
【請求項６】
前記分配管が、少なくとも１６０度、特に１８０度回転可能である、請求項１から５の何れか一項に記載の蒸発源。
【請求項７】
前記分配管が、前記支持体に対して前記分配管を回転させる第２のドライバによって、前記軸周囲を回転可能である、請求項１から６の何れか一項に記載の蒸発源。
【請求項８】
前記支持体が、内部の大気圧を維持するように構成された支持体ハウジングを含み、前記支持体が、回転可能な真空フィードスルーを介して、前記分配管を支持する、請求項７に記載の蒸発源。
【請求項９】
前記支持体によって支持されている少なくとも１つの第２の蒸発るつぼと、
前記少なくとも１つの第２の蒸発るつぼと流体連通している、前記支持体によって支持されている少なくとも１つの第２の分配管と
を更に備える、請求項１から８の何れか一項に記載の蒸発源。
【請求項１０】
前記蒸発器制御ハウジングが、スイッチ、バルブ、コントローラ、冷却ユニット及び冷却制御ユニットからなる群から選択される、少なくとも１つの要素を収容する、請求項１から９の何れか一項に記載の蒸発源。
【請求項１１】
請求項１から１０のいずれか一項に記載の蒸発源であって、前記有機材料の蒸発を遮蔽するための、少なくとも１つ、特に２つのサイドシールドをさらに備える、蒸発源。
【請求項１２】
請求項１から１１のいずれか一項に記載の蒸発源であって、誘導性電力伝送及び誘導性信号伝送のうちの少なくとも１つのためのコイルをさらに備える、蒸発源。
【請求項１３】
真空チャンバの中で有機材料を堆積させるための堆積装置であって、
真空チャンバと、
前記真空チャンバの中で前記有機材料を蒸発させる、請求項１から１２の何れか一項に記載の蒸発源と、
前記真空チャンバの中に配置され、少なくとも２つのトラックを有する基板支持体システムであって、前記基板支持体システムの前記少なくとも２つのトラックが、基板又は前記真空チャンバの中で前記基板を運ぶキャリアの本質的に垂直な支持のために構成されている、基板支持体システムと
を備える堆積装置。  
【請求項１４】
有機材料を蒸発させるための方法であって、
本質的に垂直な第１の処理位置で第１の基板を移動させることと、
蒸発源が前記有機材料を蒸発させる間に、少なくとも並進運動で前記第１の基板に沿って前記蒸発源を移動させることと、
前記第１の処理位置と異なる本質的に垂直な第２の処理位置で第２の基板を移動させることと、
蒸発中に軸の周囲で前記蒸発源の分配管を回転させることと、
前記蒸発源が前記有機材料を蒸発させる間に、少なくとも更なる並進運動で前記第２の基板に沿って前記蒸発源を移動させることとを備え、
前記蒸発源が、支持体に支持され、内部の大気圧を維持するように構成された蒸発器制御ハウジングを含む、
方法。
【請求項１５】
アイドルモードにおける側方への蒸発のために前記分配管を回転させることを更に含む、請求項１４に記載の方法。
【請求項１６】
蒸発中に軸の周囲で前記蒸発源の分配管を回転させることが、第１の回転方向で行われ、前記方法は、前記第２の基板に沿って前記蒸発源を移動させることの後に、蒸発中に軸の周囲で前記蒸発源の分配管を前記第１の回転方向にさらに回転させることを更に含む、請求項１４または１５に記載の方法。
【手続補正２】
【補正対象書類名】明細書
【補正対象項目名】０００７
【補正方法】変更
【補正の内容】
【０００７】
１つの実施形態によれば、有機材料の蒸発源が提供される。蒸発源は、有機材料を蒸発させるように構成された蒸発るつぼと；蒸発るつぼと流体連通しており、蒸発中に軸周囲を回転可能である、一又は複数の排出口を有する分配管と；有機材料を遮蔽するための少なくとも１つのサイドシールドとを含む。
【手続補正３】
【補正対象書類名】明細書
【補正対象項目名】０００８
【補正方法】変更
【補正の内容】
【０００８】
別の実施形態によれば、有機材料を真空チャンバの中に堆積させるための堆積装置が提供される。堆積装置は、真空チャンバと；真空チャンバの中で有機材料を蒸発させる、本明細書に記載の実施形態による蒸発源と；真空チャンバの中に配置され、少なくとも２つのトラックを有する基板支持体システムとを備え、基板支持体システムの少なくとも２つのトラックは、基板又は真空チャンバの中で基板を運ぶキャリアの本質的に垂直な支持のために構成される。
【手続補正４】
【補正対象書類名】明細書
【補正対象項目名】０００９
【補正方法】変更
【補正の内容】
【０００９】
更なる実施形態によれば、有機材料を蒸発させるための方法が提供される。当該方法は、本質的に垂直な第１の処理位置で第１の基板を移動させることと；蒸発源が有機材料を蒸発させる間に、少なくとも並進運動で第１の基板に沿って蒸発源を移動させることと；第１の処理位置と異なる本質的に垂直な第２の処理位置で第２の基板を移動させることと；蒸発中に軸周囲で蒸発源の分配管を回転させることと；少なくとも１つのサイドシールドで有機材料の蒸発を遮蔽することと；蒸発源が有機材料を蒸発させる間に、少なくとも１つの更なる並進運動で第２の基板に沿って蒸発源を移動させることとを含む。
【手続補正５】
【補正対象書類名】明細書
【補正対象項目名】００１０
【補正方法】変更
【補正の内容】
【００１０】
１つの実施形態によれば、有機材料用の蒸発源が提供される。蒸発源は、有機材料を蒸発させるように構成された蒸発るつぼと；蒸発るつぼと流体連通しており、蒸発中に軸の周囲を回転可能である、１または複数の排出口を有する分配管と；第１のドライバと連結された又は前記第１のドライバを含む、分配管の支持体であって、第１のドライバが支持体及び分配管の並進運動のために構成されている、支持体と；支持体に支持され、内部の大気圧を維持するように構成された蒸発器制御ハウジングとを備える。
【手続補正６】
【補正対象書類名】明細書
【補正対象項目名】００１１
【補正方法】変更
【補正の内容】
【００１１】
別の実施形態によれば、有機材料を真空チャンバの中で堆積させるための堆積装置が提供される。堆積装置は、真空チャンバと；真空チャンバの中で有機材料を蒸発させる、本明細書に記載の実施形態による蒸発源と；真空チャンバの中に配置され、少なくとも２つのトラックを有する基板支持体システムとを備え、基板支持体システムの少なくとも２つのトラックは、基板又は真空チャンバの中で基板を運ぶキャリアの本質的に垂直な支持のために構成される。
【手続補正７】
【補正対象書類名】明細書
【補正対象項目名】００１２
【補正方法】変更
【補正の内容】
【００１２】
更なる実施形態によれば、有機材料を蒸発させるための方法が提供される。当該方法は、本質的に垂直な第１の処理位置で第１の基板を移動させることと；蒸発源が有機材料を蒸発させる間に、少なくとも並進運動で第１の基板に沿って蒸発源を移動させることと；第１の処理位置と異なる本質的に垂直な第２の処理位置で第２の基板を移動させることと；蒸発中に軸の周囲で蒸発源の分配管を回転させることと；蒸発源が有機材料を蒸発させる間に、少なくとも更なる並進運動で第２の基板に沿って前記蒸発源を移動させることとを含み、蒸発源が支持体に支持され、内部の大気圧を維持するように構成された蒸発器制御ハウジングを備える。
【手続補正８】
【補正対象書類名】明細書
【補正対象項目名】００９３
【補正方法】変更
【補正の内容】
【００９３】
上記は本発明の実施形態を対象とするが、本発明の基本的な範囲から逸脱することなく、本発明の他の更なる実施形態を考案することもでき、本発明の範囲は、以下の特許請求の範囲によって決定される。
また、本願は以下に記載する態様を含む。
（態様１）
有機材料用の蒸発源であって、
前記有機材料を蒸発させるように構成された蒸発るつぼと、
前記蒸発るつぼと流体連通しており、蒸発中に軸周囲を回転可能である、一又は複数の排出口を有する分配管と、
有機材料を遮蔽するための少なくとも１つのサイドシールドと
を備える蒸発源。
（態様２）
第１のドライバと連結可能であり又は前記第１のドライバを含む、前記分配管の支持体であって、前記第１のドライバが前記支持体及び前記分配管の並進運動のために構成されている、支持体
を更に備える、態様１に記載の蒸発源。
（態様３）
前記少なくとも１つのサイドシールドが、前記支持体と前記分配管の並進運動に従うように構成されている、態様２に記載の蒸発源。
（態様４）
前記少なくとも１つのサイドシールドが、更なるサイドシールドを備える、態様１から３の何れか一項に記載の蒸発源。
（態様５）
前記少なくとも１つのサイドシールドが、前記分配管の前記軸周囲での回転が行われているとき、静止している、態様１から４の何れか一項に記載の蒸発源。
（態様６）
前記少なくとも１つのサイドシールドが、有機材料の蒸発を基板に向かう方向に範囲を定めるように構成されている、態様１から５の何れか一項に記載の蒸発源。
（態様７）
前記少なくとも１つのサイドシールドが、アイドルモードにおける側方への蒸発のために構成されている、態様１から６の何れか一項に記載の蒸発源。
（態様８）
前記分配管が、蒸気が前記蒸発源から出ていくのを回避するために前記サイドシールドに向かって回転可能である、態様１から７の何れか一項に記載の蒸発源。
（態様９）
蒸発器制御ハウジングを更に備え、前記分配管が前記蒸発器制御ハウジングの回転によって回転可能である、態様１から８の何れか一項に記載の蒸発源。
（態様１０）
前記蒸発るつぼが前記蒸発器制御ハウジングに取り付けられ、前記分配管及び前記蒸発るつぼは一緒に回転できるように取り付けられている、態様１から９の何れか一項に記載の蒸発源。
（態様１１）
前記分配管、前記蒸発るつぼ、及び前記蒸発器制御ハウジングが一緒に回転可能である、態様１０に記載の蒸発源。
（態様１２）
前記少なくとも１つのサイドシールドが、前記支持体に固定して取り付けられている、態様２に記載の蒸発源。
（態様１３）
前記少なくとも１つのサイドシールドが、前記分配管と一緒に回転しないように固定して取り付けられている、態様１２に記載の蒸発源。
（態様１４）
前記蒸気分配シャワーヘッドが、直線的蒸気分配シャワーヘッドである、態様１から１３の何れか一項に記載の蒸発源。
（態様１５）
前記分配管が、本質的に垂直に延びる線源を提供し、及び／又は前記分配管を回転させる前記軸が、本質的に垂直に延びる、態様１から１４の何れか一項に記載の蒸発源。
（態様１６）
前記分配管が、少なくとも１６０度回転可能である、態様１から１５の何れか一項に記載の蒸発源。
（態様１７）
前記分配管が、前記支持体に対して前記分配管を回転させる第２のドライバによって、前記軸周囲を回転可能である、態様１から１６の何れか一項に記載の蒸発源。
（態様１８）
前記支持体が、内部で大気圧を維持するように構成された支持体ハウジングを含み、前記支持体が、回転可能な真空フィードスルーを介して、前記分配管を支持する、態様１７に記載の蒸発源。
（態様１９）
前記支持体によって支持されている少なくとも１つの第２の蒸発るつぼと、
前記少なくとも１つの第２の蒸発るつぼと流体連通している、前記支持体によって支持されている少なくとも１つの第２の分配管と
を更に備える、態様２から１８の何れか一項に記載の蒸発源。
（態様２０）
真空チャンバの中で有機材料を堆積させるための堆積装置であって、
真空チャンバと、
前記真空チャンバの中で前記有機材料を蒸発させる、態様１から１９の何れか一項に記載の蒸発源と、
前記真空チャンバの中に配置され、少なくとも２つのトラックを有する基板支持体システムであって、前記基板支持体システムの前記少なくとも２つのトラックが、前記基板又は前記真空チャンバの中で前記基板を運ぶキャリアの本質的に垂直な支持のために構成されている、基板支持体システムと
を備える堆積装置。
（態様２１）
前記少なくとも１つのサイドシールドが、有機材料の蒸発を前記基板に向かう方向に範囲を定めるように構成されている、態様２０に記載の堆積装置。
（態様２２）
有機材料を蒸発させるための方法であって、
本質的に垂直な第１の処理位置で第１の基板を移動させることと、
蒸発源が前記有機材料を蒸発させる間に、少なくとも並進運動で前記第１の基板に沿って前記蒸発源を移動させることと、
前記第１の処理位置と異なる本質的に垂直な第２の処理位置で第２の基板を移動させることと、
蒸発中に軸周囲で前記蒸発源の分配管を回転させることと、
少なくとも１つのサイドシールドで前記有機材料の蒸発を遮蔽することと、
前記蒸発源が前記有機材料を蒸発させる間に、少なくとも更なる並進運動で前記第２の基板に沿って前記蒸発源を移動させることと
を含む方法。
（態様２３）
アイドルモードにおける側方への蒸発のために前記分配管を回転させることを更に含む、態様２２に記載の方法。
（態様２４）
蒸気が前記蒸発源から出ていくのを回避するために前記分配管を前記サイドシールドに向かって回転させることを更に含む、態様２２又は２３に記載の方法。
（態様２５）
蒸発中に軸周囲で前記蒸発源の分配管を回転させることが、第１の回転方向で行われ、前記第２の基板に沿って前記蒸発源を移動させることの後に、前記第１の回転方向で蒸発中に軸周囲で前記蒸発源の分配管を回転させることを更に含む、態様２２から２４の何れか一項に記載の方法。
（態様２６）
前記サイドシールドで蒸気ビームを遮断することを更に含む、態様２２から２５の何れか一項に記載の方法。
【外国語明細書】
2018154926000001.pdf